(57)【要約】カメラ６により撮影された外装パネルなどの２次元コードＢが解析され、同２次元コードＢの解析結果とメモリ５に記憶されている各キーワードとが比較されて同解析結果と一致するキーワードがあるとき、一致した同キーワードに対応するコンテンツのマスクが解除されて同コンテンツに対応した処理が行われる。このため、ユーザに対してコンテンツが追加されたように見せることができる共に、外装パネルなどの購入特典のように見せることができる。このため、アミューズメント性が向上すると共に、多数の外装パネルが広く普及することが期待できる。【特許請求の範囲】
【請求項１】
所定の情報が含まれるコードを撮影手段により撮影して該コードの解析結果に対応した動作を行う携帯電話機であって、
１つ又は複数のコンテンツ又は機能制御プログラムをマスクして記憶すると共に前記各コンテンツ又は機能制御プログラムを特定するキーワードを登録する記憶手段と、
前記撮影手段により撮影された前記コードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行う制御処理手段とを備えてなることを特徴とする携帯電話機。
【請求項２】
前記コードは、２次元コード又は１次元バーコードを含むことを特徴とする請求項１記載の携帯電話機。
【請求項３】
前記コードは、当該携帯電話機の筐体に対して着脱可能な外装パネル毎に設定され、
前記記憶手段にマスクされて記憶されている前記各コンテンツ又は機能制御プログラムは、前記各外装パネルに対応して設けられていることを特徴とする請求項１又は２記載の携帯電話機。
【請求項４】
所定の情報が含まれるコードを撮影手段により撮影して該コードの解析結果に対応した処理を行う携帯電話機に用いられる制御方法であって、
記憶手段に１つ又は複数のコンテンツ又は機能制御プログラムをマスクして記憶すると共に前記各コンテンツ又は機能制御プログラムを特定するキーワードを登録し、
前記撮影手段により撮影された前記コードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行うことを特徴とする制御方法。
【請求項５】
所定の情報が含まれるコードを撮影手段により撮影して該コードの解析結果に対応した処理を行う携帯電話機に用いるプログラムであって、
前記撮影手段により撮影された前記コードを解析し、該コードの解析結果と記憶手段に登録されたコンテンツ又は機能制御プログラムを特定するキーワードとを比較して前記解析結果と一致するキーワードがあるとき、該一致した前記キーワードに対応する前記記憶手段にマスクされて格納されているコンテンツ又は機能制御プログラムの前記マスクを解除して該コンテンツ又は機能制御プログラムに対応した処理を行う携帯電話機に用いるプログラム。
【請求項６】
１つ又は複数のコンテンツ又は機能制御プログラムをマスクして記憶すると共に前記各コンテンツ又は機能制御プログラムを特定するキーワードを登録する記憶手段と、撮影したコードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行う携帯電話機の筐体に対して着脱可能な外装パネルであって、
当該外装パネルは、所定の位置に前記コンテンツ又は機能制御プログラムを特定する情報を有する前記コードが添付されていることを特徴とする携帯電話機の筐体に対して着脱可能な外装パネル。
【発明の詳細な説明】
【技術分野】
【０００１】
この発明は、携帯電話機、該携帯電話機に用いられる制御方法、外装パネル及び制御プログラムに係り、特に、コンテンツ又は機能制御プログラムを予めマスクして内蔵し、特定の処理を行うことによって同コンテンツ又は機能制御プログラムが使用可能となる携帯電話機、該携帯電話機に用いられる制御方法、外装パネル及び制御プログラムに関する。
【背景技術】
【０００２】
携帯電話機は、近年では、カメラ機能が搭載されているものが多くなり、また、このカメラ機能により、所定の情報が含まれる２次元コードを撮影し、同２次元コードの解析結果に対応した動作を行うものが多くなっている。非特許文献（“バーコードから２次元コードへ”、［ｏｎｌｉｎｅ］、株式会社デンソーウェーブ、インターネット〈：ＵＲＬ：ｈｔｔｐ：／／ｗｗｗ．ｄｅｎｓｏ−ｗａｖｅ．ｃｏｍ／ｑｒｃｏｄｅ／ａｂｏｕｔｑｒ．ｈｔｍｌ〉）によれば、２次元コードを用いることにより、より小さいスペースで、より多くの情報が収納できる。このため、２次元コードの読取りに対応できる携帯電話機では、たとえば、電話番号、電子メールアドレス、インターネットアドレスなどのネットワークアドレスが２次元コードで表示されている場合、その２次元コードを読取って保存するとともにその読取ったアドレスでアクセスし、各種サービスが受けられるようになっている。また、パソコンなどで作成した文章を２次元コードに変換しておき、同２次元コードを携帯電話機で読み取って電子メールとして送ることもできる。
【発明の開示】
【発明が解決しようとする課題】
【０００３】
携帯電話機が２次元コードの読取りに対応する機能を有することによって、ネットワークアドレスを入力する操作が省略されることや、パソコンなどで作成した電子メールが入力されることなど、実用性が向上する。２次元コードの読取りに対応する機能を有する携帯電話機は、実用性以外にアミューズメント性の視点からその機能の活用が期待される。
一方、ユーザの趣向の多様化に対応して、携帯電話機の筐体に対して着脱可能な複数種類の外装パネルを用意しておき、外装パネルを交換することによって外観を任意に変更できるようになっているものもある。しかし、着脱可能な複数種類の外装パネルが用意されていても、通常では購買層は限られているため、多数の外装パネルが広く普及する可能性は高いとはいえない。
この発明は、上述の事情に鑑みてなされたもので、ユーザに対するアミューズメント性が向上でき、かつ外装パネルの普及が広く期待できる携帯電話機を提供することにある。
本発明の他の目的は、上記携帯電話機で使用される制御方法、制御プログラムおよび外装パネルを提供することである。
【課題を解決するための手段】
【０００４】
本発明によれば、撮影手段を有し、所定の情報が含まれるコードを撮影手段により撮影して該コードの解析結果に対応した動作を行う携帯電話機であって、１つ又は複数のコンテンツ又は機能制御プログラムをマスクして記憶すると共に前記各コンテンツ又は機能制御プログラムを特定するキーワードを登録する記憶手段と、前記撮影手段により撮影された前記コードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行う制御処理手段とを備えてなることを特徴とする携帯電話機が得られる。
前記コードは、２次元コード又は１次元バーコードが使用される。
望ましくは、前記コードは、当該携帯電話機の筐体に対して着脱可能な１つ又は複数の外装パネル毎に設定され、前記記憶手段にマスクされて記憶されている前記各コンテンツ又は機能制御プログラムは、前記各外装パネルに対応して設けられている
本発明によれば、また、撮影手段を有し、所定の情報が含まれるコードを撮影手段により撮影して該コードの解析結果に対応した処理を行う携帯電話機に用いられる制御方法であって、記憶手段に１つ又は複数のコンテンツ又は機能制御プログラムをマスクして記憶すると共に前記各コンテンツ又は機能制御プログラムを特定するキーワードを登録し、前記撮影手段により撮影された前記コードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行うことを特徴とする制御方法が得られる。
また、本発明によれば、所定の情報が含まれるコードを撮影手段により撮影して該コードの解析結果に対応した処理を行う携帯電話機に用いるプログラムであって、前記撮影手段により撮影された前記コードを解析し、該コードの解析結果と記憶手段に登録されたコンテンツ又は機能制御プログラムを特定するキーワードとを比較して前記解析結果と一致するキーワードがあるとき、該一致した前記キーワードに対応する前記記憶手段にマスクされて格納されているコンテンツ又は機能制御プログラムの前記マスクを解除して該コンテンツ又は機能制御プログラムに対応した処理を行う携帯電話機に用いるプログラムが得られる。
さらに、本発明によれば、１つ又は複数のコンテンツ又は機能制御プログラムをマスクして記憶すると共に前記各コンテンツ又は機能制御プログラムを特定するキーワードを登録する記憶手段と、撮影したコードを解析し、該コードの解析結果と前記記憶手段に登録されている各キーワードとを比較して前記解析結果と一致するキーワードがあるとき、該一致した前記キーワードに対応する前記コンテンツ又は機能制御プログラムの前記マスクを解除して該コンテンツ又は機能制御プログラムに対応した処理を行う携帯電話機の筐体に対して着脱可能な外装パネルであって、当該外装パネルは、所定の位置に前記コンテンツ又は機能制御プログラムを特定する情報を有する前記コードが添付されていることを特徴とする携帯電話機の筐体に対して着脱可能な外装パネルが得られる。
この発明の１視点によれば、撮影手段により撮影された例えば２次元コードが解析され、同２次元コードの解析結果と記憶手段に記憶されている各キーワードとが比較されて同解析結果と一致するキーワードがあるとき、一致した同キーワードに対応するコンテンツ又は機能制御プログラムのマスクが解除されて同コンテンツ又は機能制御プログラムに対応した処理が行われるので、ユーザに対してコンテンツ機能制御プログラムが追加されたように見せることができる。このため、アミューズメント性を向上できる。
また、この発明の他の視点によれば、当該携帯電話機の筐体に対して着脱可能な１つ又は複数の外装パネルが設けられ、例えば、２次元コードは、同各外装パネル毎に設けられ、記憶手段にマスクされて記憶されている各コンテンツ又は機能制御プログラムは、同各外装パネルに対応して設けられているので、ユーザに対してコンテンツ又は機能制御プログラムが追加されたように見せることにより、外装パネルの購入特典のように見せることができる。このため、多数の外装パネルが広く普及すると共に販売促進が期待できる。
【図面の簡単な説明】
【０００５】
図１は、この発明の一実施例である携帯電話機の要部の電気的構成を示すブロック図である。
図２は、図１の携帯電話機の外観を示す図である。
図３は、図１の携帯電話機の動作を説明するフローチャートである。
図４は、ディスプレイ部３ａに表示されるアイコンの一例を示す図である。
図５は、ディスプレイ部３ａに表示されるコンテンツ追加の旨を示す図である。
図６は、メモリ５に記憶されている各キーワードの一例を示す図である。
図７は、図６中の各キーワードに対応するデータの一例を示す図である。
【発明を実施するための最良の形態】
【０００６】
当該携帯電話機の筐体に対して着脱可能な複数種類の外装パネルが設けられ、同各外装パネルに添付されている２次元コードを読み取ることにより、記憶されているコンテンツ又は機能制御プログラムのマスクを解除して同コンテンツ又は機能制御プログラムに対応した処理を行う携帯電話機を提供する。
図１は、この発明の一実施例である携帯電話機の要部の電気的構成を示すブロック図である。
この例の携帯電話機は、同図に示すように、アンテナ１と、無線部２と、ディスプレイ部３ａ，３ｂと、制御部４と、メモリ５と、カメラ６と、操作部７と、スピーカ８と、マイク９と、レシーバ１０とから構成されている。アンテナ１は、図示しない無線基地局の受け持ちのセル内で同無線基地局と無線信号ｗを送受信する。無線基地局は、図示しない在圏移動通信交換局及び関門移動通信交換局を介して一般電話回線網に接続されている。無線部２は、無線基地局との間でアンテナ１を介して送受信される無線信号ｗに対して変復調などの処理を行う。ディスプレイ部３ａ，３ｂは、たとえば液晶表示装置で構成され、同ディスプレイ部３ａは、たとえば、電話番号、時計、サービス圏内／圏外、電話帳表示、スケジュール表示、カレンダー表示、機能メニュー表示、現在のモードなどを表示し、同ディスプレイ部３ｂは、たとえば、時計、サービス圏内／圏外、現在のモードなどを表示する。
カメラ６は、たとえばＣＭＯＳセンサやＣＣＤセンサなどによるカメラで構成され、静止画撮影及び動画撮影を行う他、特に、この実施例では、所定の情報が含まれる２次元コード（外装パネルの２次元コードＢ）を撮影する。この２次元コードＢは、たとえば、株式会社デンソーウェーブにより開発された“ＱＲコード”（登録商標）が用いられる。操作部７は、たとえば、送信キー、テンキー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。スピーカ８は、着信音を発生する。マイク９は、この携帯電話機の送話部としての機能を有している。レシーバ１０は、この携帯電話機の受話部としての機能を有している。
メモリ５は、たとえばＲＡＭ（Ｒａｎｄｏｍ  Ａｃｃｅｓｓ  Ｍｅｍｏｒｙ）で構成され、電話帳データ、撮影画像データ、ダウンロードデータなどを記憶し、特に、この実施例では、１つ又は複数のコンテンツまたは機能制御プログラム（以下単にコンテンツという。）をマスクして記憶すると共に同コンテンツ毎にキーワードを登録する。制御部４は、この携帯電話機全体を制御するＣＰＵ（中央処理装置）４ａ及び同ＣＰＵ４ａを動作させるための制御プログラムが記録されたＲＯＭ（リード・オンリ・メモリ）４ｂを有している。特に、この実施例では、制御部４は、カメラ６により撮影された２次元コードＢを解析し、同２次元コードＢの解析結果とメモリ５に登録されている各キーワードとを比較して同解析結果と一致するキーワードがあるとき、この一致したキーワードに対応するコンテンツのマスクを解除して同コンテンツに対応した処理を行う。
図２は、図１の携帯電話機の外観の一例を示す図であり、同図（ａ）は正面図、同図（ｂ）は背面図、及び同図（ｃ）が外装パネルを示す図である。
この携帯電話機は、同図（ａ）に示すように、上部ユニット１１と、下部ユニット１２とを備えている。上部ユニット１１は、正面にディスプレイ部３ａ及びレシーバ１０を備え、下部ユニット１２が、正面に操作部７及びマイク９を備えている。そして、上部ユニット１１の正面及び下部ユニット１２の正面同士が向かい合う態様でヒンジ部１３を介して折り畳み可能に構成されている。また、同図（ｂ）に示すように、上部ユニット１１は、背面にディスプレイ部３ｂ、カメラ６及びスピーカ８を備えている。この上部ユニット１１の背面は、同図（ｃ）に示す外装パネル１４が、図示しないネジや爪などにより着脱可能になっている。
この外装パネル１４の裏側には、図示しない２次元コード（たとえば、図１中の２次元コードＢ）が添付されている。外装パネル１４は、意匠の異なるものが複数種類用意されることもあり、この場合、外装パネル毎に異なる２次元コードを付す。また、マスクされてメモリ５に記憶されているコンテンツは外装パネルの種類にしたがって対応するマスクが解除される。
図３は、図１の携帯電話機の動作を説明するフローチャート、図４は、ディスプレイ部３ａに表示されるアイコンの一例を示す図、図５は、コンテンツの追加を知らせるディスプレイ部３ａの表示を示す図、図６は、メモリ５に記憶されている各キーワードの一例を示す図、及び図７は、図６中の各キーワードに対応するデータの一例を示す図である。
これらの図を参照して、この例の携帯電話機で行われる制御の処理内容について説明する。
この携帯電話機では、カメラ６により撮影された外装パネル１４の２次元コードが解析され、同２次元コードの解析結果、即ち、撮像した２次元コードをテキストデータに変換したものとメモリ５に記憶されている各キーワードデータとが比較される。そして、両者が一致するとき、一致したキーワードに対応するコンテンツのマスクが解除されて同コンテンツ（たとえば、画像やメロディなど）に対応した処理が行われる。
すなわち、外装パネル１４に添付されている２次元コードは、上部ユニット１１に装着する前に、カメラ６によって読み込まれて制御部４でデコードされ、テキストデータ（解析結果）に変換される（ステップＡ１）。この解析結果とメモリ５に登録されている各キーワードとが比較され（ステップＡ２）、一致するキーワードがないとき（ＮＯ）、同解析結果に対応した通常の処理が行われ、一致するキーワードがあるとき（ＹＥＳ）、この一致したキーワードに対応するコンテンツの非表示フラグがオフ状態に変更されることによりマスクが解除され（ステップＡ４）、図４に示すように、ディスプレイ部３ａの待受け画面上に、その外装パネルの２次元コードによって特定されるコンテンツの隠蔽が解除され、そのコンテンツの名称を示すアイコンがプリインストールコンテンツとして表示される（ステップＡ５）。具体的に述べると、図４において、５の「おまけ」のアイコンは、隠されたものが表示されたものである。１〜４は、プリインストールされているコンテンツ（隠されていないコンテンツ）である。２次元コードで追加されたコンテンツは、４以降に追加される。
そして、このアイコンを選択する操作が行われたとき、図５に示すように、ディスプレイ部３ａの待受け画面上に、コンテンツが新規に追加された旨が表示される。これにより、このコンテンツを選択する操作が行われたとき、同コンテンツに対応した処理が行われる。たとえば、コンテンツが画像データであれば、待受け画面や発着信時に表示する画面として設定され、メロディデータであれば、着信時の音（着メロ）として設定される。
メモリ５に登録されている各キーワードは、図６に示すように、それぞれ１６バイトの記憶領域に登録されている。たとえば、コンテンツＩＤ．１のキーワード“おまけ１”が１６バイトの記憶領域に登録されている。同様に、コンテンツＩＤ．２のキーワード“おまけ２！”、コンテンツＩＤ．３のキーワード“おまｘｙｚ”、コンテンツＩＤ．４のキーワード“お１２ａ”、コンテンツＩＤ．５のキーワード“お！”などが、１６バイトの記憶領域に登録されている。この場合、各キーワードを構成する各文字は、図７に示すように、４桁又は２桁の１６進数に変換されて格納されている。また、図６中のスペースの部分は、２桁の１６進数（“２０”）に変換されて格納されている。このため、各キーワードは、スペースを含めた１６バイトのデータとして管理される。このように各キーワードが１６バイトの記憶領域に登録されている場合、２次元コードをデコードしたテキストを１６バイトのバイナリデータに変換して、バイナリデータをキーワードの１６バイトデータと比較する。
このようにすることで、２次元コードの読み込み後にデコードされたテキストデータをそのまま２次元コードに変換し、通信回線を介して他の携帯電話機へ二次配信しても、他の携帯電話機でコンテンツのマスクが解除されることはない。すなわち、ある携帯電話機で２次元コードを読み取った後にデコードされたテキストデータは、スペースが含まれていないため、そのままで再度２次元コードに変換して他の携帯電話機へ二次配信しても、この配信された２次元コードの解析結果には、スペースが含まれていない。このため、他の携帯電話機における上記配信された２次元コードの解析結果と、スペースを含めた１６バイトのデータとして管理されているキーワードとは一致しないので、同携帯電話機でコンテンツのマスクが解除されることはない。
以上のように、この実施例では、カメラ６により撮影された外装パネル１４の２次元コードが解析され、同２次元コードの解析結果とメモリ５に記憶されている各キーワードとが比較されて同解析結果と一致するキーワードがあるとき、一致した同キーワードに対応するコンテンツのマスクが解除されて同コンテンツに対応した処理が行われるので、ユーザに対してコンテンツが追加されたように見せることができる共に、外装パネル１４の購入特典のように見せることができる。このため、アミューズメント性が向上すると共に、多数の外装パネル１４が広く普及すると共に販売促進が期待できる。
以上、この発明の実施例を図面により詳述してきたが、具体的な構成は同実施例に限られるものではなく、この発明の要旨を逸脱しない範囲の設計の変更などがあっても、この発明に含まれる。
たとえば、メモリ５には、コンテンツがマスクされて記憶されているが、たとえば電卓機能やＴＶ（テレビ）リモコン機能などの機能制御プログラムをマスクして記憶させ、同機能制御プログラム毎にキーワードを登録するようにしても良い。これにより、機能制御プログラムのマスクが解除されたとき、同機能制御プログラムに対応した処理が行われる。また、ユーザに対して、機能が新規に追加されたように見せることができる。また、この場合、機能制御プログラムは、外装パネル１４に対応して設けても良い。また、２次元コードは、情報量が少ない場合では、１次元バーコードでも良い。
また、この発明は、外装パネルが用いられない携帯電話機にも適用でき、この場合、２次元コードは、たとえば電池の蓋などに添付される。また、携帯電話機の筐体は、上記実施例では折り畳み型となっているが、ストレート型や、スライド型でも良い。また、上記実施例では、図１中の２次元コードＢは、株式会社デンソーウェーブにより開発されたマトリクス方式のものが用いられているが、この他、たとえば、Ｓｙｍｂｏｌ社（米国）により開発されたスタックドマトリクス方式の２次元バコード、ＣＩＭａｔｒｉｘ社（米国）によるマトリクス方式の２次元コード、ＵＰＳ社（米国）によるマトリクス方式の２次元コードなどを用いても良い。
【産業上の利用可能性】
【０００７】
この発明は、２次元コードをカメラにより撮影して同２次元コードの解析結果に対応した動作を行う携帯電話機全般に適用できる。
【図１】
2007021021.tif 000002
【図２】
2007021021.tif 000003
【図３】
2007021021.tif 000004
【図４】
2007021021.tif 000005
【図５】
2007021021.tif 000006
【図６】
2007021021.tif 000007
【図７】
2007021021.tif 000008
【国際調査報告】
2007021021.tif 000009
2007021021.tif 000010
2007021021.tif 000011
2007021021.tif 000012